(57)【要約】【課題】一般家庭や飲食店等で使用するどんぶりを飲食物の容器として使用するほか、どんぶりにトランプの図柄を表示することによって娯楽性又はサ−ビス性等を付加するようにしたゲームどんぶりを提供する。【解決手段】どんぶり１の内側底面又はこの内側底面の周囲であってどんぶり１に収容した内容物によって隠蔽される箇所に、トランプ、花札、カルタ等のカードゲームに使用するカードの図柄２を表示してなり、どんぶり１に収容した内容物の表面の高さが低減することによって、カードの図柄２が外方から目視可能に現われるようにした。【選択図】図１
0003159880.tif 000002
【実用新案登録請求の範囲】
【請求項１】
どんぶりの内側底面又はこの内側底面の周囲であってどんぶりに収容した内容物によって隠蔽される箇所に、トランプ、花札、カルタ等のカードゲームに使用するカードの図柄を表示してなり、どんぶりに収容した内容物の表面の高さが低減することによって、カードの図柄がどんぶりの外方から目視可能に現われるようにしたことを特徴とするゲームどんぶり。
【考案の詳細な説明】
【技術分野】
【０００１】
本考案は、一般家庭や飲食店等で使用するどんぶりに関するものであり、どんぶりを飲食物の容器として使用するほか、トランプ、花札、カルタ等に使用するカードの図柄をどんぶりの内側に表示することによって、娯楽性又はサ−ビス性等を付加するようにしたゲームどんぶりに関する。
【背景技術】
【０００２】
従来から、ラーメン、うどん、そば等のめん類を収容したり、天丼、牛丼、親子丼等のどんぶりものを収容するために、陶磁器等によるどんぶりが使用されている。このようなどんぶりは、陶磁器の素材を生かした模様等を有する他、様々な図柄や文字等を表示することによって意匠に工夫を凝らしたものや、各種の宣伝内容を表示したものがある。
【０００３】
ところで、どんぶりの表面に何らかの図柄を表示した従来例としては、特許文献１、２に示すものがある。これらの文献に示すものは、いずれも、どんぶりの内側表面に食材を計量するための目盛を表示したものであり、調理の際にスープや熱湯等の内容物を計量するのに有益となるものである。
【０００４】
一方、飲食店等の来客に対するサービスとして、サービス券、ポイントカード等を配付することがあるが、このようなサービスは従来から広く知られており、他店との差別化の効果が弱く、また店に行く際には、サービス券やカード等を、財布やカードケース等に所持していなければならないため、面倒であった。
【先行技術文献】
【特許文献】
【０００５】
【特許文献１】特開２００９−１２５５６１号公報
【特許文献２】実用新案登録第３０７８０９６号公報
【考案の概要】
【考案が解決しようとする課題】
【０００６】
本考案は、上記の事情に鑑みてなされたものであり、一般家庭や飲食店等で使用するどんぶりに表示する図柄を用いて、どんぶりの利用者に、ゲーム性を有する娯楽やサービス等を提供することができるようにしたものである。
【０００７】
即ち、本考案は、一般家庭や飲食店等で使用するどんぶりに関するものであり、どんぶりを飲食物の容器として使用するほか、トランプ、花札、カルタ等のカードゲームに使用するカードの図柄をどんぶりの内側に表示することによって、ゲーム性を有する娯楽又はサ−ビス性等を付加するようにしたゲームどんぶりを提供することを目的とする。
【課題を解決するための手段】
【０００８】
上記の課題を解決するために、本考案における請求項１のゲームどんぶりは、どんぶりの内側底面又はこの内側底面の周囲であってどんぶりに収容した内容物によって隠蔽される箇所に、トランプ、花札、カルタ等のカードゲームに使用するカードの図柄を表示してなり、どんぶりに収容した内容物の表面の高さが低減することによって、カードの図柄が外方から目視可能に現われるようにしたことを特徴とする。
【考案の効果】
【０００９】
本考案によれば、どんぶりの内側底面又はこの内側底面の周囲であってどんぶりに収容した内容物によって隠蔽される箇所に、トランプ、花札、カルタ等のカードゲームに使用するカードの図柄を表示してなるものであり、このどんぶりに収容した内容物を食することで、その表面の高さが低減することによって、カードの図柄が外方から目視可能に現われるようにしたものである。従って、このどんぶりで食事をする者は、食事の進行と共に、又は食事が終了する頃に、どんぶりの内側にどのようなカードの図柄が表示されていたのかを知ることが可能となる。
【００１０】
従って、本考案のゲームどんぶりは、どんぶりの内側にトランプ、花札、カルタ等のカードの図柄を表示することによって、そのどんぶりで食事をする者が、食事の進行と共に、又は食事が終了する頃に、どんぶりの内側に表示されていたカードの図柄の内容を知るというような娯楽性を有して食事を楽しむことが可能となる。また、食品店等では、例えば、そのようなどんぶりのカードの図柄を「あたり」等の有償の図柄として決め、その図柄が表示されているどんぶりで食事をした者には、サービス券や賞品等を提供するというようなゲーム性のある娯楽的なサービスとして利用することも可能である。
【図面の簡単な説明】
【００１１】
【図１】（ａ）は本考案の実施例におけるゲームどんぶりの内側を示す平面図であり、（ｂ）は（ａ）のＡ−Ａ線に沿う断面図である。
【図２】（ａ）は本考案の他の実施例におけるゲームどんぶりの内側を示す平面図であり、（ｂ）は（ａ）のＢ−Ｂ線に沿う断面図である。
【図３】本考案の他の実施例におけるゲームどんぶりの平面図であり、（ａ）は底面に花札の図柄を表示し、（ｂ）はカルタの図柄を表示したものである。
【考案を実施するための形態】
【００１２】
以下、本考案の実施例について図面を参照しながら説明する。
【実施例】
【００１３】
本実施例のゲームどんぶりは、図１又は図２に示すように、どんぶり１の内側底面又はこの内側底面の周囲であってどんぶり１に収容した内容物によって隠蔽される箇所に、トランプ、花札、カルタ等のカードゲームに使用するカードの図柄２を表示してなるものである。また、本考案のゲームどんぶりは、このどんぶり１に収容した内容物、即ちラーメン等の食材を食することで、その食材の表面の高さが低減することによって、カードの図柄２が外方から目視可能に現われるようにしたものである。従って、このどんぶり１で食事をしている者は、食事の進行と共に、又は食事が終了する頃に、どのようなカードの図柄２がどんぶりに表示されていたのかを知ることが可能となる。
【００１４】
以下、このようなゲームどんぶりについてより詳細に述べる。本実施例に使用するどんぶり１の本体は、従来通り陶磁器製のものを使用し、その作成方法も従来の陶磁器の作成方法と同様であってよい。なお、このどんぶり１を他の素材又は方法で作成した場合でも、本考案を適用することは可能である。
【００１５】
また、本実施例のゲームどんぶりにおいて、どんぶり１の内側底面３又はこの内側底面３の周囲に、トランプ、花札、カルタ等のカードゲームに使用するカードの図柄２を表示する方法としては、陶磁器の表面に所定の図柄を筆で絵付けする方法のほか、転写紙や転写用銅板を使用する周知の転写方法を採用することも可能であり、その図柄２の表示方法には、特に限定されるものではない。
【００１６】
また、どんぶり１の内側における図柄２の表示位置は、上記のどんぶり１の内側底面３又はこの内側底面３の周囲であって、どんぶり１に収容した飲食物等の内容物によって隠蔽される箇所である。ただし、どんぶり１は、内側底面３から内側側面４に到るに従って湾曲に変形してあるため、内側底面３と内側側面４との境界を厳密に特定することは困難であり、本考案のどんぶり１における「内側底面の周囲」とは、底面３の周囲の側面４を含むものである。なお、図１（ａ）、図２（ａ）又は図３（ａ）、（ｂ）には、どんぶり１の底面３と側面４との境界となる箇所に、便宜的に、一点鎖線Ｃを示してある。
【００１７】
また、図１（ａ）、（ｂ）に示すように、トランプ等のカードゲームに使用するカードの図柄２を表示する箇所をどんぶり１の底面３のみに表示した場合、このどんぶり１に内容物を収容すると、通常、どんぶり１の底面３は完全に隠蔽され、外方から見えなくなる。従って、この場合、どんぶり１に表示するカードの図柄２をどんぶり１の内側のどこまでの高さに表示するかを規定する必要はない。
【００１８】
図２（ａ）、（ｂ）に示すゲームどんぶりの場合、どんぶり１の内側底面３とこの内側底面３の周囲に、トランプ、花札、カルタ等のカードゲームに使用するカードの図柄２を表示してあるため、このどんぶり１の内容物を底面付近まで食べなくても、食事の途中で、その図柄２を外方から見ることが可能である。
【００１９】
ただし、この図２（ａ）、（ｂ）に示すゲームどんぶりの場合、どんぶり１に表示するカードの図柄２をどんぶり１の内側のどこまでの高さに表示するかを規定する必要があるが、これはどんぶり１に収容した食材等の内容物によって隠蔽される箇所までの高さＤである。ただし、この高さＤは、どんぶり１に収容される内容物によって異なるものである。また、少々食べただけで、どんぶり１の内側に表示された図柄２が見えるようでは、楽しみが薄くなるため、このことを考慮すると、カードの図柄２は、どんぶり１の底面３に近い周囲に表示するのが好ましいと思われる。
【００２０】
また、カードの図柄２としては、図１又は図２に一つの例として「エースのスペード」を図示してあるが、ジョーカーを含めて、全部でトランプカードの図柄２として５３種を夫々のどんぶりに表示するようにしてもよい。また、トランプカードの図柄として５３種のうちから特定の図柄を選択して表示するようにしてもよい。
【００２１】
さらに、本実施例のゲームどんぶりに、図３（ａ）に示すように、花札の種々の図柄２Ａ、又は、図３（ｂ）に示すように、カルタの種々の図柄２Ｂを表示するようにしてもよい。なお、カルタの場合、種々のカルタが存在するが、伝統的な「いろはかるた」、「百人一首かるた」の他に、地方特有のカルタ、又は新作のカルタ等を表示することも可能である。なお、図３（ａ）、（ｂ）には、どんぶり１の底面３にのみに、花札の図柄２Ａ又はカルタの図柄２Ｂを表示してあるが、図２（ａ）、（ｂ）に示すように、底面３の周囲に表示してもよい。また、他のカードゲームに使用するカードとしては、周知の「ウノ」等の図柄を表示するようにしてもよい。さらに、麻雀パイをカード状に表示したもので麻雀を行うようにしたゲームも存在するが、このようなカードの内容を本考案のどんぶりの底面３又はその周囲に表示するようにしてもよい。
【００２２】
上記のような本考案のゲームどんぶりを使用する方法は、色々な工夫によって、多種の形態が考えられる。例えば、一般家庭においては、どんぶり１の内側に表示されたトランプ等のカードがどのような図柄であるかを楽しみながら食事をすることができ、子供等にも食事をする楽しみを与えることが可能となる。
【００２３】
また、例えばラーメン等の飲食店等において、特定のカードの図柄が「あたり」の図柄であると予め決めておき、そのどんぶりで食事をした者には、例えば、もう一杯のラーメンをただで食べることができるサービス券を提供する。さらに、複数の客がグループで来店した場合、例えば４人共が同じスペードであった場合に、何らかの商品を贈呈する等、食事をすることに加えてゲーム性のある娯楽を楽しむことが可能となる。
【００２４】
また、ゲームどんぶりの内側に表示されたカードの図柄が、「いろはかるた」、「百人一首かるた」等の場合、そのカードに表示されたことわざや百人一首等を楽しみながら覚えることが可能となる。さらに、地方特有のカルタを表示した場合、地方観光の宣伝や土産にもなり、新作のカルタとして食品店等の宣伝文句をカルタに表示して、その店のアピールの一助となる。また、上記のように特定の当りカードを決めておき、その図柄が表示されたどんぶりで食事をした客には、例えば、お土産を提供する等、様々な利用の方法が可能となる。
【産業上の利用可能性】
【００２５】
本考案のゲームどんぶりは、一般家庭や飲食店等で使用するどんぶりに関するものであり、どんぶりを飲食物の容器として使用するほか、トランプ、花札、カルタ等のカードゲームに使用するカードの図柄をどんぶりの内側に表示することによって、ゲーム性を有する娯楽又はサ−ビス性等を付加するようにしたゲームどんぶりとして利用可能である。
【符号の説明】
【００２６】
１  どんぶり
２  カード（トランプカード）の図柄
２Ａ  花札の図柄
２Ｂ  カルタの図柄
３  どんぶりの底面
４  どんぶりの側面
Ｃ  一点鎖線（底面と側面との境界）
Ｄ  内容物によって隠蔽される箇所までの高さ
【図１】
0003159880.tif 000003
【図２】
0003159880.tif 000004
【図３】
0003159880.tif 000005